(57)【要約】【課題】長期間の使用によっても「へたり」が生じにくく、通気性や弾力性を良好な状態に維持することができるとともに、収納時等の取り扱いが容易な敷き布団を提供すること。【解決手段】表面に凹凸２１を有する独立気泡構造の架橋ポリエチレンフォーム層２及び固綿層３からなる芯材層と、この芯材層の表面に設けた、防ダニシート層４と、炭の粉末を含む炭シート層５とを備え、布団カバー６で覆うようにした敷き布団１であって、架橋ポリエチレンフォーム層２の全面に多数の小円形状の貫通孔２２と、敷き布団１の折曲位置に敷き布団１の長手方向に延びるスリット状の貫通孔２３を敷き布団１の幅方向に並列して形成する。【選択図】図１
2014087518.tif 000002
【特許請求の範囲】
【請求項１】
表面に凹凸を有する独立気泡構造の架橋ポリエチレンフォーム層及び固綿層からなる芯材層と、該芯材層の表面に設けた、防ダニシート層と、炭の粉末を含む炭シート層とを備え、布団カバーで覆うようにした敷き布団であって、前記芯材層の架橋ポリエチレンフォーム層の全面に多数の小円形状の貫通孔と、敷き布団の折曲位置に敷き布団の長手方向に延びるスリット状の貫通孔を敷き布団の幅方向に並列して形成したことを特徴とする敷き布団。
【請求項２】
布団カバーの敷き布団の長手方向の複数箇所に、敷き布団の幅方向に延びる補助芯材を収納できるポケット状の収納部を形成したことを特徴とする請求項１に記載の敷き布団。
【発明の詳細な説明】
【技術分野】
【０００１】
本発明は、敷き布団に関し、特に、通気性や弾力性に優れた敷き布団に関するものである。
【背景技術】
【０００２】
理想的な睡眠は、人の健康と精神に大いにプラスとなり、結果的に豊かな人生を送れるようになる。
そして、人は睡眠中に、汗として約１リットルの水を排出するといわれているが、この汗を円滑に吸収し、快適な睡眠を得ることができるようにするために、敷き布団等の寝具には様々な工夫がなされている。
【０００３】
ところで、従来、敷き布団は、綿状物、ポリウレタン、不織布等を使用したものが知られており、求められる条件としての通気性や弾力性を良好にするために、人の身体に接触する面を少なくし、つまり、少ない支持部で人を支持するようにして通気性を確保するとともに、適度の弾力性を付与することができるようにしている。
【０００４】
しかしながら、従来の敷き布団は、使用するに従って構成材料に「へたり」が生じ、通気性や弾力性が低下するという問題があった。
また、従来の敷き布団の場合、「へたり」を生じにくくするためには、構成材料の密度を高める必要があるが、これによって、敷き布団自体の重量が大きくなるとともに、折り曲げにくくなり、収納時等の取り扱いが困難になるという問題があった。
【発明の概要】
【発明が解決しようとする課題】
【０００５】
本発明は、上記従来の敷き布団の有する問題点に鑑み、長期間の使用によっても「へたり」が生じにくく、通気性や弾力性を良好な状態に維持することができるとともに、収納時等の取り扱いが容易な敷き布団を提供することを第１の目的とする。
【０００６】
また、本発明は、長期間の使用によって生じた部分的な「へたり」に対処できる敷き布団を提供することを第２の目的とする。
【課題を解決するための手段】
【０００７】
上記第１の目的を達成するため、本発明の敷き布団は、表面に凹凸を有する独立気泡構造の架橋ポリエチレンフォーム層及び固綿層からなる芯材層と、該芯材層の表面に設けた、防ダニシート層と、炭の粉末を含む炭シート層とを備え、布団カバーで覆うようにした敷き布団であって、前記芯材層の架橋ポリエチレンフォーム層の全面に多数の小円形状の貫通孔と、敷き布団の折曲位置に敷き布団の長手方向に延びるスリット状の貫通孔を敷き布団の幅方向に並列して形成したことを特徴とする。
【０００８】
さらに、上記第２の目的を達成するため、本発明の敷き布団は、布団カバーの敷き布団の長手方向の複数箇所に、敷き布団の幅方向に延びる補助芯材を収納できるポケット状の収納部を形成したことを特徴とする。
【発明の効果】
【０００９】
本発明の敷き布団によれば、表面に凹凸を、そして、全面に多数の小円形状の貫通孔を有する独立気泡構造の芯材層を構成する架橋ポリエチレンフォーム層によって、長期間の使用によっても「へたり」を生じにくくし、通気性や弾力性を良好な状態に維持することができる。また、当該架橋ポリエチレンフォーム層は、密度が低く、これによって、敷き布団自体の重量を小さくできるとともに、敷き布団の折曲位置に敷き布団の長手方向に延びるスリット状の貫通孔を敷き布団の幅方向に並列して形成することによって、折り曲げやすく、収納時等の取り扱いが容易な敷き布団を提供することができる。
【００１０】
また、布団カバーの敷き布団の長手方向の複数箇所に、敷き布団の幅方向に延びる補助芯材を収納できるポケット状の収納部を形成することにより、長期間の使用によって部分的な「へたり」が生じた箇所の収納部に補助芯材を収納することにより、「へたり」が生じた箇所を簡易に復元することができ、良好な使用状態を維持することができる。
【図面の簡単な説明】
【００１１】
【図１】本発明の敷き布団の一実施例を示し、（ａ）は一部を断面にした平面図、（ｂ）は（ａ）のＸ−Ｘ断面図である。
【図２】同（ａ）は平面図、（ｂ）は底面図、（ｃ）は変形実施例の敷き布団の底面図である。
【発明を実施するための形態】
【００１２】
以下、本発明の敷き布団の実施の形態を、図面に基づいて説明する。
【実施例１】
【００１３】
図１〜図２に、本発明の敷き布団の一実施例を示す。
この敷き布団１は、図１に示すように、表面に凹凸２１を有する独立気泡構造の架橋ポリエチレンフォーム層２及び固綿層３、３Ａからなる芯材層と、この芯材層の表面に設けた、防ダニシート層４と、炭の粉末を含む炭シート層５とを備え、布団カバー６で覆うようにした敷き布団１である。
そして、芯材層を構成する架橋ポリエチレンフォーム層２の全面に多数の小円形状の貫通孔２２と、敷き布団１の折曲位置に敷き布団１の長手方向に延びるスリット状の貫通孔２３を敷き布団１の幅方向に並列して形成するようにしている。
【００１４】
また、本実施例の敷き布団１においては、芯材層を、架橋ポリエチレンフォーム層２の両側に固綿層３、３Ａを配設して構成し、さらに、芯材層の裏面側にも、防ダニシート層４Ａ及び炭の粉末を含む炭シート層５Ａを配設するようにしているが、これらの層、具体的には、例えば、固綿層３、防ダニシート層４Ａ及び炭の粉末を含む炭シート層５Ａは、必要に応じて、いずれか又は全部を省略することもできる。
【００１５】
芯材層を構成する独立気泡構造の架橋ポリエチレンフォーム層２は、化学架橋剤で架橋したポリエチレンシートを発泡させてなるもので、表面の凹凸２１を含む厚さが２０〜５０ｍｍ程度で、発泡倍率（通常、数倍〜数十倍程度）を適宜設定することにより、長期間の使用によっても「へたり」が生じにくく、敷き布団１の弾力性を良好な状態に維持することができる芯材層とすることができる。
また、この架橋ポリエチレンフォーム層２の表面の凹凸２１は、例えば、高低差が１０〜２０ｍｍ程度の凹凸を、３０〜５０ｍｍ程度のピッチで、千鳥状に形成するようにし、凹部の中心に、直径１〜５ｍｍ程度の小円形状の貫通孔２２を形成するようにしている。
なお、凹凸は、必要に応じて、裏面にも形成することができる。
また、スリット状の貫通孔２３は、敷き布団１を折り畳む場合の折曲位置、本実施例においては、敷き布団１の長手方向の１／３及び２／３の位置に、幅５〜１０ｍｍ程度、長さ１０〜４０ｍｍ程度、スリット状の貫通孔２３を、３０〜６０ｍｍ程度のピッチで形成するようにしている。
この芯材層を構成する独立気泡構造の架橋ポリエチレンフォーム層２は、表面に凹凸２１を、そして、全面に多数の小円形状の貫通孔２２を有する独立気泡構造の架橋ポリエチレンフォーム層２からなるため、長期間の使用によっても「へたり」が生じにくく、敷き布団１の通気性や弾力性を良好な状態に維持することができる。また、架橋ポリエチレンフォーム層２は、密度が低く（ポリエステル綿材を加熱圧縮して構成される固綿の密度の約６０％程度。）、これによって、敷き布団１の重量を小さくできるとともに、敷き布団１の折曲位置に敷き布団の長手方向に延びるスリット状の貫通孔２３を敷き布団の幅方向に並列して形成することによって、敷き布団１が折り曲げやすくなり、収納時等の取り扱いが容易となる。
【００１６】
同じく芯材層を構成する固綿層３、３Ａは、例えば、ポリエステル綿材を加熱圧縮して構成された厚さ１０〜２０ｍｍ程度のものを使用することができる。
このポリエステル綿材を用いた固綿は、２種のポリエステル綿材と、このポリエステル綿材と比較して低融点のバインダー繊維とを既存の製綿装置によってシート状にした薄綿を複数積層して加熱、圧着、冷却を行なうことによって固綿に加工することができる。
この芯材層を構成する固綿層３は、長期間の使用によっても「へたり」が生じにくく、敷き布団１の通気性や弾力性を良好な状態に維持することができる。
【００１７】
防ダニシート層４、４Ａは、防ダニ加工をした繊維を含む不織布製のシートからなり、例えば、０．５〜５ｍｍ程度のものを使用することができる。
防ダニ加工としては、忌避型防虫剤であるトルアミド系化合物やニコチン系化合物等が使用され、また、殺虫剤であるピレスロイド系化合物や有機燐系化合物が使用されるが、これらを併用することもできる。
この防ダニシート層４、４Ａは、直接人の身体に触れることなく、敷き布団１内にダニが侵入して、繁殖することを防止することができる。
【００１８】
炭シート層５、５Ａは、炭、例えば、備長炭や竹炭等の微細な炭粉末を含む不織布製のシートからなり、例えば、０．５〜５ｍｍ程度のものを使用することができる。
この炭シート層５、５Ａは、汗等を、炭の脱臭効果、有害物質の吸着効果及び吸着した物質の自浄再生効果等により除去する機能を有し、敷き布団１を常に清潔に保つことができるようにする。
また、炭から発生する遠赤外線により保温効果が得られるほか、炭から発生するマイナスイオンにより、精神を安定した状態にすることができ、リラクゼーション効果を得ることができる。
【００１９】
布団カバー６は、通常の布帛のほか、キルティング素材を用いることができる。
【００２０】
さらに、この敷き布団１は、図２に示すように、敷き布団１の長期間の使用により背部や臀部（腰部）を介して人の体重がかかることによって部分的な「へたり」が生じやすい、布団カバー６の敷き布団１の長手方向の複数箇所、本実施例の敷き布団１においては、図２（ｂ）に示すように、敷き布団１の長手方向のおおよそ１／４、１／２及び３／４の位置の３箇所に、敷き布団１の幅方向に延びる補助芯材７を収納できるポケット状の収納部６１を形成するようにしている。
ここで、収納部６１を形成する位置や大きさは、敷き布団１の大きさ等に応じて適宜設定することができ、人の臀部（腰部）の位置に適合しやすくするため、図２（ｃ）に示すように、敷き布団１の長手方向の中間位置の収納部６１を２箇所にして合計４箇所に形成するようにしたり、中間位置の収納部６１の敷き布団１の長手方向の幅を、他の収納部６１より大きく形成する（図示省略）こともできる。
補助芯材７は、敷き布団１の長手方向の幅２００〜４００ｍｍ程度、厚さ１０〜２０ｍｍ程度の固綿等の不織布を使用することができ、収納部６１は、この補助芯材７を収納できる大きさに形成するようにする。
敷き布団１の幅方向に延びる補助芯材７を収納できるポケット状の収納部６１を形成することにより、長期間の使用によって部分的な「へたり」が生じた箇所の収納部６１に補助芯材７を収納することにより、「へたり」が生じた箇所を簡易に復元することができ、良好な使用状態を維持することができる。
【００２１】
以上、本発明の敷き布団について、その実施例に基づいて説明したが、本発明は上記実施例に記載した構成に限定されるものではなく、その趣旨を逸脱しない範囲において適宜その構成を変更することができるものである。
【産業上の利用可能性】
【００２２】
本発明の敷き布団は、長期間の使用によっても「へたり」が生じにくく、通気性や弾力性を良好な状態に維持することができるとともに、収納時等の取り扱いが容易であることから、敷き布団の用途に好適に用いることができるほか、例えば、ベッドの用途にも用いることができる。
【符号の説明】
【００２３】
１    敷き布団
２    架橋ポリエチレンフォーム層（芯材層）
２１  凹凸
２２  小円形状の貫通孔
２３  スリット状の貫通孔
３    固綿層（芯材層）
３Ａ  固綿層（芯材層）
４    防ダニシート層
４Ａ  防ダニシート層
５    炭シート層
５Ａ  炭シート層
６    布団カバー
６１  収納部
７    補助芯材
【図１】
2014087518.tif 000003
【図２】
2014087518.tif 000004